(57)【要約】【課題】２段動作プッシュスイッチの長寿命化を図るとともに、１段目の荷重特性と２段目の荷重特性の自由度を大きくして２段動作プッシュスイッチとしての荷重特性のバリエーションを広げること。【解決手段】２段動作プッシュスイッチのタクト板を第１、第２タクト板５、６で形成し、キートップ７の押圧で第１タクト板５を２段階に弾性変形させ、１段目の変形で凸部５６を第２タクト板６に接触させて第１、第２端子２、３間を接続し、２段目の変形で第２タクト板６の中央部を第３端子４の接触部４１に接触させて第１、第２、第３端子２、３、４間を接続する。タクト板を第１、第２タクト板５、６の２つとしてそれぞれに過度のストレスが生じないようにして長寿命化を図るとともに、１段目の荷重特性と２段目の荷重特性の自由度を大きくする。【選択図】　図１
2004031171.tif 000002
【特許請求の範囲】
【請求項１】
ハウジング（１）にタクト板を収容するタクト板収容凹部（１３）を形成し、ハウジング（１）に固定した第１、第２、第３端子（２）、（３）、（４）の接触部（２１，２１）、（３１，３１）、（４１）をタクト板収容凹部（１３）の内底面の外側周辺部、内側周辺部、中央部に露出させ、キートップ（７）の押圧でタクト板を弾性変形させることによって、接触部（２１，２１）、（３１，３１）との接触による第１、第２端子（２）、（３）間の接続と、接触部（２１，２１）、（３１，３１）、（４１）との接触による第１、第２、第３端子（２）、（３）、（４）間の接続との２段階の接続をする２段動作プッシュスイッチであって、前記タクト板をタクト板収容凹部（１３）内で上下に離して配置された第１、第２タクト板（５）、（６）で形成し、第１タクト板（５）は、周辺部を第１端子（２）の接触部（２１，２１）に接触させるとともに、中央部の下面に凸部（５６）を形成し、第２タクト板（６）は、中央部を上方に膨出して周辺部を第２端子（３）の接触部（３１，３１）に接触させ、キートップ（７）の押圧で第１タクト板（５）を２段階に弾性変形させ、１段目の変形で凸部（５６）を第２タクト板（６）に接触させ、２段目の変形で第２タクト板（６）の中央部を第３端子（４）の接触部（４１）に接触させることを特徴とする２段動作プッシュスイッチ。
【請求項２】
ハウジング（１）にタクト板を収容するタクト板収容凹部（１３）を形成し、ハウジング（１）に固定した第１、第２、第３端子（２）、（３）、（４）の接触部（２１，２１）、（３１，３１）、（４１）をタクト板収容凹部（１３）の内底面の外側周辺部、内側周辺部、中央部に露出させ、キートップ（７）の押圧でタクト板を弾性変形させることによって、接触部（２１，２１）、（３１，３１）との接触による第１、第２端子（２）、（３）間の接続と、接触部（２１，２１）、（３１，３１）、（４１）との接触による第１、第２、第３端子（２）、（３）、（４）間の接続との２段階の接続をする２段動作プッシュスイッチであって、前記タクト板をタクト板収容凹部（１３）内で上下に離して配置された第１、第２タクト板（５）、（６）で形成し、第１タクト板（５）は、周辺部を第１端子（２）の接触部（２１，２１）の上方に配置するとともに、中央部の下面に凸部（５６）を形成し、第２タクト板（６）は、中央部を上方に膨出して周辺部を第２端子（３）の接触部（３１，３１）の上方に配置し、キートップ（７）の押圧で第１タクト板（５）を２段階に弾性変形させ、１段目の変形で第１タクト板（５）の周辺部を第１端子（２）の接触部（２１，２１）に接触させるとともに、凸部（５６）が第２タクト板（６）に押圧接触して第２タクト板（６）の周辺部を第２端子（３）の接触部（３１，３１）に接触させ、２段目の変形で第２タクト板（６）の中央部を第３端子（４）の接触部（４１）に接触させることを特徴とする２段動作プッシュスイッチ。
【請求項３】
第１タクト板（５）は、ほぼ水平板状の中央接触部（５１）と、中央接触部（５１）の外周側にほぼ半円状の孔（５２，５２）で隔てられるとともに連結部（５３，５３）で連結された環状部（５４）と、環状部（５４）の外周側の対向する位置に突設されて第１端子（２）の接触部（２１，２１）に接触するほぼ水平矩形板状の周辺接触部（５５，５５）とで形成され、環状部（５４）は外周側が下方へ傾斜した形状に形成され、環状部（５４）に絞り部（５８〜５８）を形成したことを特徴とする請求項１又は２記載の２段動作プッシュスイッチ。
【請求項４】
第１タクト板（５）の中央接触部（５１）は、連結部（５３，５３）と連結する方向を長手方向としたほぼ長方形状に形成され、中央接触部（５１）の長手方向の端縁に連設される立ち上げ片（５７，５７）と、中央接触部（５１）の板面の長手方向に沿って形成されるビード（５７ｂ，５７ｂ）とのうちの少なくとも一方を、中央接触部（５１）の補強用として設けたことを特徴とする請求項３記載の２段動作プッシュスイッチ。
【請求項５】
第１タクト板（５）の中央接触部（５１）は、連結部（５３，５３）と連結する方向を長手方向としたほぼ長方形状に形成され、中央接触部（５１）の長手方向の端縁に連設される折り返し片（５７ａ，５７ａ）と、中央接触部（５１）の板面の長手方向に沿って形成されるビード（５７ｂ，５７ｂ）とのうちの少なくとも一方を、中央接触部（５１）の補強用として設けたことを特徴とする請求項３記載の２段動作プッシュスイッチ。
【請求項６】
タクト板収容凹部（１３）の内底面の第２タクト板（６）の周辺部に隣設する部分に、第２タクト板（６）の周辺部をほぼ固定するための加締め部（１７〜１７）を形成したことを特徴とする請求項１、２、３、４又は５記載の２段動作プッシュスイッチ。
【発明の詳細な説明】
【０００１】
【発明の属する技術分野】
本発明は、カメラ、電子機器などに使用される２段動作プッシュスイッチに関するものである。例えばカメラのシャッターに使用される２段動作プッシュスイッチに関するものである。
【０００２】
【従来の技術】
従来の２段動作プッシュスイッチには、図１８〜図２４に示すようなものが知られている。すなわち、ハウジング１００にタクト板２００を収容するタクト板収容凹部１０１を形成し、ハウジング１００の底板に第１、第２、第３端子３０１、３０２、３０３を固着し、第１、第２、第３端子３０１、３０２、３０３の接触部（３１１，３１１）、（３１２，３１２）、（３１３）を、タクト板収容凹部１０１の内底面の外側周辺部、内側周辺部、中央部の位置において周囲の内底面より突出した状態で露出させ、第１、第２、第３端子３０１、３０２、３０３の接続部３２１，３２１、３２２、３２３をハウジング１００の外へ突出させる。タクト板収容凹部１０１の開口面をカバー４００で覆い、カバー４００の中央部に穿設されたキートップ用孔４０１からキートップ５００の操作部を外部へ突出させ、カバー４００の側面に形成された係止ばね部４０２〜４０２をハウジング１００の外側面に突設された係止突起１０３〜１０３に係止して、カバー４００をハウジング１００に固定する。
【０００３】
タクト板２００は、図２４に示すように、水平円板状の中央接触部２０１と、中央接触部２０１の外周側に半円弧孔２０２、２０２で隔てられるとともに連結部２０３、２０３で連結された環状部２０４と、環状部２０４の外周側の対向する位置に突設された水平矩形板状の周辺接触部２０５、２０５とを具備し、環状部２０４は外周側が下方へ傾斜した形状に形成され、環状部２０４の円周方向に沿って等間隔に、中心角度で９０°の位置に絞り部２０６〜２０６が形成されている。
タクト板２００は、初期状態では、図２２に示すように、ハウジング１００の底板内面とキートップ５００の下面との間に若干弾性変形した状態でタクト板収容凹部１０１内に収容され、周辺接触部２０５、２０５が第１端子３０１の接触部３１１、３１１に接触している。
【０００４】
そして、キートップ５００を押し下げると、キートップ５００の押圧突起がタクト板２００の中央接触部２０１を押し込んで環状部２０４を反転させる。この変形を１段目の変形とすると、この変形によって中央接触部２０１の周辺部が第２端子３０２の接触部３１２、３１２に接触し、第１、第２端子３０１、３０２間を電気的に接続する。
ついで、キートップ５００をさらに押し下げると、キートップ５００の押圧突起がタクト板２００の中央接触部２０１をさらに押し込んで変形が進む。この変形を２段目の変形とすると、この変形によって中央接触部２０１の中心部が第３端子３０３の接触部３１３に接触し、第１、第２、第３端子３０１、３０２、３０３間を電気的に接続する。
【０００５】
【発明が解決しようとする課題】
しかしながら、図１８〜図２４に示した従来例では、１つのタクト板２００で２段階の接続を行っていたので、タクト板２００の連結部２０３、２０３に過度のストレス（応力）がかかり、少ない動作回数でタクト板２００が破損するという問題点があった。
例えば、タクト板２００の１段目の変形では、曲げ加工で形成された環状部２０４が反転し、タクト板２００の２段目の変形では、絞り加工で形成された中央接触部２０１が反転するので、両者の境目の連結部２０３、２０３に応力集中で割れが生じ易いという問題点があった。
また、１つのタクト板２００で２段階の接続を行っていたので、１段目の荷重特性と２段目の荷重特性の自由度が小さく、荷重特性のバリエーションを広げることができないという問題点があった。
例えば、１段目の荷重特性を所望の特性に合わせたときに、その影響が２段目の荷重特性に及ぶため、２段目の荷重特性の自由度が小さく、所望の特性が得にくいという問題点があった。
【０００６】
本発明は、上述の問題点を鑑みなされたもので、長寿命化を図ることができるとともに、１段目の荷重特性と２段目の荷重特性の自由度を大きくして、荷重特性のバリエーションを広げることのできる２段動作プッシュスイッチを提供することを目的とするものである。
【０００７】
【課題を解決するための手段】
請求項１に記載の発明は、ハウジング（１）にタクト板を収容するタクト板収容凹部（１３）を形成し、ハウジング（１）に固定した第１、第２、第３端子（２）、（３）、（４）の接触部（２１，２１）、（３１，３１）、（４１）をタクト板収容凹部（１３）の内底面の外側周辺部、内側周辺部、中央部に露出させ、キートップ（７）の押圧でタクト板を弾性変形させることによって、接触部（２１，２１）、（３１，３１）との接触による第１、第２端子（２）、（３）間の接続と、接触部（２１，２１）、（３１，３１）、（４１）との接触による第１、第２、第３端子（２）、（３）、（４）間の接続との２段階の接続をする２段動作プッシュスイッチであって、前記タクト板をタクト板収容凹部（１３）内で上下に離して配置された第１、第２タクト板（５）、（６）で形成し、第１タクト板（５）は、周辺部を第１端子（２）の接触部（２１，２１）に接触させるとともに、中央部の下面に凸部（５６）を形成し、第２タクト板（６）は、中央部を上方に膨出して周辺部を第２端子（３）の接触部（３１，３１）に接触させ、キートップ（７）の押圧で第１タクト板（５）を２段階に弾性変形させ、１段目の変形で凸部（５６）を第２タクト板（６）に接触させ、２段目の変形で第２タクト板（６）の中央部を第３端子（４）の接触部（４１）に接触させることを特徴とするものである。
【０００８】
上述の構成において、タクト板を第１、第２タクト板（５）、（６）で形成し、キートップ（７）の押圧で第１タクト板（５）を２段階に弾性変形させる。第１タクト板（５）の１段目の変形で凸部（５６）を第２タクト板（６）に接触させて第１、第２端子（２）、（３）間を電気的に接続し、第１タクト板（５）の２段目の変形で第２タクト板（６）の中央部を第３端子（４）の接触部（４１）に接触させて第１、第２、第３端子（２）、（３）、（４）間を電気的に接続する。　タクト板を第１、第２タクト板（５）、（６）の２つとし、第１、第２タクト板（５）、（６）のそれぞれに過度のストレスが生じないようにするとともに、１段目の荷重特性と２段目の荷重特性の自由度を大きくすることができる。
【０００９】
請求項２に記載の発明は、ハウジング（１）にタクト板を収容するタクト板収容凹部（１３）を形成し、ハウジング（１）に固定した第１、第２、第３端子（２）、（３）、（４）の接触部（２１，２１）、（３１，３１）、（４１）をタクト板収容凹部（１３）の内底面の外側周辺部、内側周辺部、中央部に露出させ、キートップ（７）の押圧でタクト板を弾性変形させることによって、接触部（２１，２１）、（３１，３１）との接触による第１、第２端子（２）、（３）間の接続と、接触部（２１，２１）、（３１，３１）、（４１）との接触による第１、第２、第３端子（２）、（３）、（４）間の接続との２段階の接続をする２段動作プッシュスイッチであって、前記タクト板をタクト板収容凹部（１３）内で上下に離して配置された第１、第２タクト板（５）、（６）で形成し、第１タクト板（５）は、周辺部を第１端子（２）の接触部（２１，２１）の上方に配置するとともに、中央部の下面に凸部（５６）を形成し、第２タクト板（６）は、中央部を上方に膨出して周辺部を第２端子（３）の接触部（３１，３１）の上方に配置し、キートップ（７）の押圧で第１タクト板（５）を２段階に弾性変形させ、１段目の変形で第１タクト板（５）の周辺部を第１端子（２）の接触部（２１，２１）に接触させるとともに、凸部（５６）が第２タクト板（６）に押圧接触して第２タクト板（６）の周辺部を第２端子（３）の接触部（３１，３１）に接触させ、２段目の変形で第２タクト板（６）の中央部を第３端子（４）の接触部（４１）に接触させることを特徴とするものである。
【００１０】
上述の構成において、タクト板を第１、第２タクト板（５）、（６）で形成し、キートップ（７）の押圧で第１タクト板（５）を２段階に弾性変形させる。第１タクト板（５）の１段目の変形で、第１タクト板（５）の周辺部を第１端子（２）の接触部（２１，２１）に接触させるとともに、凸部（５６）が第２タクト板（６）に押圧接触して第２タクト板（６）の周辺部を第２端子（３）の接触部（３１，３１）に接触させることによって、第１、第２端子（２）、（３）間を電気的に接続する。第１タクト板（５）の２段目の変形で、第２タクト板（６）の中央部を第３端子（４）の接触部（４１）に接触させることによって、第１、第２、第３端子（２）、（３）、（４）間を電気的に接続する。
タクト板を第１、第２タクト板（５）、（６）の２つとし、第１、第２タクト板（５）、（６）のそれぞれに過度のストレスが生じないようにするとともに、１段目の荷重特性と２段目の荷重特性の自由度を大きくすることができる。
【００１１】
請求項３に記載の発明は、請求項１又は２に記載の発明において、クリック感を生じさせるために、第１タクト板（５）を、ほぼ水平板状の中央接触部（５１）と、中央接触部（５１）の外周側にほぼ半円状の孔（５２，５２）で隔てられとともに連結部（５３，５３）で連結された環状部（５４）と、環状部（５４）の外周側の対向する位置に突設されて第１端子（２）の接触部（２１，２１）に接触するほぼ水平矩形板状の周辺接触部（５５，５５）とで形成し、環状部（５４）は外周側が下方へ傾斜した形状に形成され、環状部（５４）に絞り部（５８〜５８）を形成したことを特徴とするものである。
【００１２】
請求項４に記載の発明は、請求項３に記載の発明において、キートップ（７）からの荷重を損失させることなく第１タクト板（５）の絞り部（５８〜５８）に伝達するために、第１タクト板（５）の中央接触部（５１）を、連結部（５３，５３）と連結する方向を長手方向としたほぼ長方形状に形成し、中央接触部（５１）の長手方向の端縁に連設される立ち上げ片（５７，５７）と、中央接触部（５１）の板面の長手方向に沿って形成されるビード（５７ｂ，５７ｂ）とのうちの少なくとも一方を、中央接触部（５１）の補強用として設けたことを特徴とするものである。
【００１３】
請求項５に記載の発明は、請求項３に記載の発明において、キートップ（７）からの荷重を損失させることなく第１タクト板（５）の絞り部（５８〜５８）に伝達するために、第１タクト板（５）の中央接触部（５１）を、連結部（５３，５３）と連結する方向を長手方向としたほぼ長方形状に形成し、中央接触部（５１）の長手方向の端縁に連設される折り返し片（５７ａ，５７ａ）と、中央接触部（５１）の板面の長手方向に沿って形成されるビード（５７ｂ，５７ｂ）とのうちの少なくとも一方を、中央接触部（５１）の補強用として設けたことを特徴とするものである。
【００１４】
請求項６の記載の発明は、請求項１、２、３、４又は５に記載の発明において、第２タクト板（６）がタクト板収容凹部（１３）の所定位置からずれるのを防止するために、タクト板収容凹部（１３）の内底面の第２タクト板（６）の周辺部に隣設する部分に、タクト板収容凹部（１３）の周辺部をほぼ固定するための加締め部（１７〜１７）を形成したことを特徴とするものである。
【００１５】
【発明の実施の形態】
以下、本発明の一実施形態例を図１〜図１５を用いて説明する。
図１〜図３は全体の構成を示すもので、これらの図において、１はハウジング、２、３、４は第１、第２、第３端子、５は第１タクト板、６は第２タクト板、７はキートップ、８はカバーである。
【００１６】
ハウジング１は、図４〜図９に示すように、矩形状の底板１１と、この底板１１の外周辺から一体に直立して包囲する側板１２とを具備し、底板１１と側板１２によって上面を開口したタクト板収容凹部１３が形成されている。
タクト板収容凹部１３の対向する内側面には、第１タクト板５の周辺接触部５５、５５（後述する）を位置合わせして収容する位置合わせ用凹部１４、１４が形成されている。
タクト板収容凹部１３の内底面は、円形状の中央部と、この中央部の周辺に連続する環状の内側周辺部と、この内側周辺部の外周辺に連続する外側周辺部とを具備し、表面の高さが図７に示すように階段状に順次高くなるように形成されている。
位置合わせ用凹部１４、１４の内底面は、タクト板収容凹部１３の内底面の外側周辺部の一部となり、同一高さに形成されている。
タクト板収容凹部１３の内底面の内側周辺部には、第２タクト板６の周辺部を位置合わせして収容する弧状の加締め用突起１５〜１５が突設されている。
ハウジング１の側板１２の外側面には、カバー８を係止する係止突起１６〜１６が形成されている。
【００１７】
ハウジング１の底板１１には、第１、第２、第３端子２、３、４がハウジング１の成型時に一体に設けられている。例えば、導電性金属板のプレス成形で図１０（ａ）、（ｂ）に示すような第１、第２、第３端子２、３、４を形成して金型内に配置し、樹脂の注入、固化によって一体成型される。
このとき、第１端子２の接触部２１、２１は、タクト板収容凹部１３の内底面の外側周辺部のうちの位置合わせ用凹部１４、１４の内底面において、周囲の内底面から突出した状態で露出し、第１端子２の接続部２２、２２はハウジング１の外に突出している。
また、第２端子３の接触部３１、３１は、タクト板収容凹部１３の内底面の内側周辺部であって第２タクト板６の周辺接触部と接触可能な位置において、周囲の内底面から突出した状態で露出し、第２端子３の接続部３２はハウジング１の外に突出している。
また、第３端子４の接触部４１は、タクト板収容凹部１３の内底面の中央部の中心位置において、周囲の内底面から突出した状態で露出し、第３端子４の接続部４２はハウジング１の外に突出している。
【００１８】
第１タクト板５は、弾性を有する厚さｔ（例えばｔ＝０．０６ｍｍ）の導電性金属板の打ち抜き、折り曲げ加工で形成されて、タクト板収容凹部１３内に収容されるもので、図１１〜図１３に示すように、水平なほぼ長方形板状の中央接触部５１と、中央接触部５１の外周側にほぼ半円状の孔５２、５２で隔てられるとともに帯状の連結部５３、５３で連結された環状部５４と、環状部５４の外周側の対向する位置に突設された水平な矩形板状の周辺接触部５５、５５とで形成されている。
中央接触部５１の中央部には、下方へ膨出した凸部５６が形成され、中央接触部５１の長手方向の端縁には、上方へ折り曲げた立ち上げ片５７，５７が形成されている。
環状部５４には、円周方向に沿って等間隔に、中心角９０°の位置に、上方へ膨出した絞り部５８〜５８が形成されている。
【００１９】
第２タクト板６は、弾性を有する厚さｔ（例えばｔ＝０．０４ｍｍ）の導電性金属板を打ち抜き、絞り加工することによって形成したものを、タクト板収容凹部１３内に２枚重ねて収容されるもので、図１に示すように、中央部を上方へ膨出した円板状（すなわちドーム状）に形成されている。
【００２０】
キートップ７は、第１タクト板５を押圧して２段階に弾性変形させるためのもので、図１４に示すように、円柱状の操作部７１と、操作部７１の下部に一体に連設されたほぼ円板状の押圧部７２と、押圧部７２の対向する外周側に一体に突設されて先端部がハウジング１の位置合わせ用凹部１４、１４に係合するほぼ矩形状の位置合わせ部７３、７３とからなり、押圧部７２の下面には第１タクト板５の立ち上げ片５７、５７を収容する収容凹部７４、７４が形成されている。
【００２１】
カバー８は、タクト板収容凹部１３の開口部を覆ってハウジング１に固着されるもので、図１５に示すように、外縁がハウジング１の外縁とほぼ同一の矩形状に形成され、中央部には、キートップ７の操作部７１を上下動可能に突出するためのキートップ用孔８１が形成され、外周部には、ハウジング１の係止突起１６〜１６に圧入して係止する係止ばね部８２〜８２が形成されている。
【００２２】
つぎに、以上のように構成された２段動作プッシュスイッチの組み立てについて説明する。
（１）ハウジング１の成型時において、ハウジング１の底板１１には、図４〜図９に示すように、第１、第２、第３端子２、３、４が一体成型で形成されている。
【００２３】
（２）ハウジング１のタクト板収容凹部１３内の所定位置に第２タクト板６を載置し、加締め用突起１５〜１５を加熱し、図９に矢印で示すように内側へ折り曲げ変形して、図１（ｂ）に示すような加締め部１７〜１７とし、第２タクト板６の周辺部をほぼ固定する。これによって、第２タクト板６の周辺部を第２端子３の接触部３１，３１に常時接触させた状態としている。
【００２４】
（３）ついで、ハウジング１のタクト板収容凹部１３内に第１タクト板５を位置合わせしつつ載置する。すなわち図４に示すように、第１タクト板５の周辺接触部５５、５５をハウジング１の位置合わせ用凹部１４、１４に位置合わせして第１タクト板５をタクト板収容凹部１３内に載置し、周辺接触部５５、５５を第１端子２の接触部２１、２１に接触させる。
【００２５】
（４）ついで、キートップ７の位置合わせ部７３、７３をハウジング１の位置合わせ用凹部１４、１４に位置合わせするとともに、キートップ７の収容凹部７４、７４に第１タクト板５の立ち上げ片５７、５７を収容しつつキートップ７を第１タクト板５上に載置し、その上からカバー８を被せてキートップ用孔８１から操作部７１を上部へ突出させ、カバー８の係止ばね部８２〜８２をハウジング１の係止突起１６〜１６に圧入して係止し、図１〜図３に示すように組み立てを完了する。
この組み立て完了状態では、第１タクト板５は、その中央接触部５１がキートップ７の押圧部７２に押圧されて若干弾性変形した状態でタクト板収容凹部１３内に収容され、図１に示すように第１タクト板５の周辺接触部５５、５５を第１端子２の接触部２１、２１に常時接触させた状態にしている。
【００２６】
（５）上述のようにして組み立てられた２段動作プッシュスイッチは、例えば、基板（図示省略）上の所定位置に位置合わせして載置した後、第１、第２、第３端子２、３、４の接続部２２，２２、３２、４２が基板上の配線パターンと半田接続される。
【００２７】
つぎに、前記実施形態例の作用を説明する。
（１）図１においてキートップ７を押し下げると、押圧部７２が第１タクト板５の中央接触部５１を押し込んで連結部５３、５３を反転させるとともに環状部５４を弾性変形させる。この変形を１段目の変形とすると、この変形によって第１タクト板５の凸部５６が第２タクト板６の中央部に接触し、第１、第２端子２、３間が電気的に接続する。
この１段目の変形では、連結部５３、５３を反転させるとともに、絞り部５８〜５８の形成された環状部５４を弾性変形させてクリック感を生じさせている。このとき、中央接触部５１の立ち上げ片５７、５７が中央接触部５１の強度を補強しているので、中央接触部５１の撓みによる荷重の損失を抑え、キートップ７からの荷重を損失させことなく絞り部５８〜５８に伝えてクリック感を生じさせることができる。
また、この１段目の変形では、キートップ７に加えられる荷重とストロークの関係を表す荷重特性は、第１タクト板５の形状や構造に依存する。このため、第１タクト板５の板厚や形状、絞り部５８〜５８の形状等を変えることによって荷重特性を変えることができる。
【００２８】
（２）ついで、キートップ７をさらに押し下げると、第１タクト板５の凸部５６が第２タクト板６の中央部を押し込んで第２タクト板６を反転させる。この変形を２段目の変形とすると、この変形によって第２タクト板６の中央部が第３端子４の接触部４１に接触し、第１、第２、第３端子２、３、４間が電気的に接続する。
この２段目の変形では、第２タクト板６を反転させてクリック感を生じさせている。
また、この２段目の変形では、キートップ７に加えられる荷重とストロークの関係を表す荷重特性は、主として第２タクト板６の形状や構造に依存する。このため、第２タクト板６の板厚や形状等を変えることによって荷重特性を変えることができる。
また、第２タクト板６の周辺部がハウジング１の加締め部１７〜１７によってハウジング１にほぼ固定されているので、２段動作プッシュスイッチの搬送時や２段動作プッシュスイッチのスイッチ動作時において第２タクト板６が所定位置からずれるのを防止することができる。このため、第２タクト板６の中央部を第３端子４の接触部４１に接触させたときに、第２タクト板６の周辺部が第２端子３の接触部３１、３１からずれて非接触となるような状態を防止できる。
【００２９】
（３）キートップ７への押圧を解除すると、第１、第２タクト板５、６の自らの復元力でキートップ７を押し上げ、第２タクト板６の中央部が第３端子４の接触部４１から離れるとともに、第１タクト板５の凸部５６が第２タクト板６から離れて電気的に非接続となり、図１の初期状態に戻る。
【００３０】
前記実施形態例では、第１タクト板５の中央部の上面をキートップ７の下面に当接させ、キートップ７の押圧で第１タクト板５を２段階に弾性変形させた場合について説明したが、本発明はこれに限るものでなく、第１タクト板５の中央部の上面とキートップ７の下面との間に間隙を設け、キートップ７の押圧でキートップ７が第１タクト板５に押圧接触することによって第１タクト板５を２段階に弾性変形させた場合についても利用することができる。
例えば、キートップ７の操作部７１の外周面に段部又は鍔部を形成し、この段部又は鍔部とカバー８の上面との間に弾性体を介在することによって、第１タクト板５の中央部の上面とキートップ７の下面との間に間隙を設け、キートップ７の押圧で弾性体を弾性変形してキートップ７の下面が第１タクト板５に押圧接触し、第１タクト板５を２段階に弾性変形させた場合についても利用することができる。
【００３１】
前記実施形態例では、第１タクト板５の周辺部を第１端子２の接触部２１，２１に接触させるとともに、第２タクト板６の周辺部を第２端子３の接触部３１，３１に接触させた場合について説明したが、本発明はこれに限るものでなく、第１タクト板５の周辺部を第１端子２の接触部２１，２１に接触させる代わりに、第１タクト板５の周辺部を第１端子２の接触部２１，２１の上方に配置した場合、第２タクト板６の周辺部を第２端子３の接触部３１，３１に接触させる代わりに、第２タクト板６の周辺部を第２端子３の接触部３１，３１の上方に配置した場合、又は、第１タクト板５の周辺部を第１端子２の接触部２１，２１に接触させるとともに、第２タクト板６の周辺部を第２端子３の接触部３１，３１に接触させる代わりに、第１タクト板５の周辺部を第１端子２の接触部２１，２１の上方に配置するとともに、第２タクト板６の周辺部を第２端子３の接触部３１，３１の上方に配置した場合についても利用することができる。
【００３２】
例えば、第１タクト板５の周辺部を第１端子２の接触部２１，２１に接触させるとともに、第２タクト板６の周辺部を第２端子３の接触部３１，３１に接触させる代わりに、第１タクト板５の周辺部を第１端子２の接触部２１，２１の上方に配置するとともに、第２タクト板６の周辺部を第２端子３の接触部３１，３１の上方に配置した場合について説明すると、この場合、キートップ７の押圧で第１タクト板５を２段階に弾性変形させたときの、１段目の変形で第１タクト板５の周辺部を第１端子２の接触部２１，２１に接触させるとともに、凸部５６が第２タクト板６に押圧接触して第２タクト板６の周辺部を第２端子３の接触部３１，３１に接触させることによって、第１、第２端子２、３間の電気的な接続を行い、２段目の変形で第２タクト板６の中央部を第３端子４の接触部４１に接触させることによって、第１、第２、第３端子２、３、４間の電気的な接続を行う。
【００３３】
前記実施形態例では、所望の荷重特性を得るために、導電性金属板を打ち抜き、絞り加工したものを２枚重ねたもので第２タクト板６が形成された場合について説明したが、本発明はこれに限るものでなく、導電性金属板を打ち抜き、絞り加工したものを３枚以上重ねたもので第２タクト板６が形成された場合、又は１枚の導電性金属板の打ち抜き、絞り加工で第２タクト板６が形成された場合についても利用することができる。
【００３４】
前記実施形態例では、第２タクト板６がタクト板収容凹部１３内の所定位置からずれるのを防止するために、タクト板収容凹部１３の内底面の第２タクト板６の周辺部に臨設する部分に加締め部１７〜１７を形成した場合について説明したが、本発明はこれに限るものでなく、加締め部１７〜１７以外の手段で第２タクト板６がタクト板収容凹部１３内の所定位置からずれるのを防止したものについても利用することができる。
【００３５】
前記実施形態例では、第１タクト板５の１段目の変形時に撓みによる荷重の損失を抑え、キートップ７からの荷重を損失させることなく絞り部５８〜５８に伝えてクリック感を生じさせるために、中央接触部５１に立ち上げ片５７、５７を連設して中央接触部５１の強度を補強した場合について説明したが、本発明はこれに限るものでない。
例えば、図１６に示すように第１タクト板５の中央接触部５１の長手方向の端縁に折り返し片５７ａ、５７ａを形成した場合、図１７に示すように第１タクト板５の板面の長手方向に沿ってビード（ひも状の突起）５７ｂ、５７ｂを形成した場合、又は、中央接触部５１に立ち上げ片５７、５７及びビード５７ｂ、５７を形成した場合、若しくは中央接触部５１に折り返し片５７ａ、５７ａ及びビード５７ｂ、５７を形成した場合についても利用することができる。
【００３６】
前記実施形態例では、クリック感を生じさせるために、第１タクト板５を中央接触部５１、連結部５３、５３、環状部５４及び周辺接触部５５、５５で形成するとともに、環状部５４に絞り部５８〜５８を形成した場合についても説明したが、本発明はこれに限るものでなく、第１タクト板５は、ハウジング１のタクト板収容凹部１３内に収容されたときに、その中央部の上面がキートップ７に当接し、その周辺部が第１端子２の接触部２１、２１に常時接触し、その中央部の下面に１段目の変形時に第２タクト板６に接触する凸部５６が形成されたものについて利用することができる。
例えば、図１１〜図１３に示す第１タクト板５において、絞り部５８〜５８を省略した場合についても利用することができる
【００３７】
前記実施形態例では、２段動作プッシュスイッチ自体に本発明を利用した場合について説明したが、本発明は、これに限るものでなく、この２段動作プッシュスイッチをロータリースイッチと組み合わせた複合スイッチや、この２段動作プッシュスイッチをロータリーエンコーダスイッチと組み合わせた複合スイッチについても利用することができる。
【００３８】
【発明の効果】
請求項１に記載の発明は、２段動作プッシュスイッチのタクト板を第１、第２タクト板（５）、（６）で形成し、キートップ（７）の押圧で第１タクト板（５）を２段階に弾性変形させ、１段目の変形で凸部（５６）を第２タクト板（６）に接触させて第１、第２端子（２）、（３）間を電気的に接続し、２段目の変形で第２タクト板（６）の中央部を第３端子（４）の接触部（４１）に接触させて第１、第２、第３端子（２）、（３）、（４）間を電気的に接続するように構成した。このようにタクト板を第１、第２タクト板（５）、（６）の２つとし、第１、第２タクト板（５）、（６）のそれぞれに過度のストレスが生じないようにしたので、タクト板が１つの従来例と比べて長寿命化を図ることができるとともに、１段目の荷重特性と２段目の荷重特性の自由度を大きくして２段動作プッシュスイッチとしての荷重特性のバリエーションを広げることができる。
【００３９】
請求項２に記載の発明は、２段動作プッシュスイッチのタクト板を第１、第２タクト板（５）、（６）で形成し、キートップ（７）の押圧で第１タクト板（５）を２段階に弾性変形させ、１段目の変形で、第１タクト板（５）の周辺部を第１端子（２）の接触部（２１，２１）に接触させるとともに、凸部（５６）が第２タクト板（６）に押圧接触して第２タクト板（６）の周辺部を第２端子（３）の接触部（３１，３１）に接触させて、第１、第２端子（２）、（３）間を電気的に接続し、２段目の変形で、第２タクト板（６）の中央部を第３端子（４）の接触部（４１）に接触させて、第１、第２、第３端子（２）、（３）、（４）間を電気的に接続するように構成した。このようにタクト板を第１、第２タクト板（５）、（６）の２つとし、第１、第２タクト板（５）、（６）のそれぞれに過度のストレスが生じないようにしたので、タクト板が１つの従来例と比べて長寿命化を図ることができるとともに、１段目の荷重特性と２段目の荷重特性の自由度を大きくして２段動作プッシュスイッチとしての荷重特性のバリエーションを広げることができる。
【００４０】
請求項３に記載の発明は、　請求項１又は２に記載の発明において、第１タクト板（５）を中央接触部（５１）、連結部（５３，５３）、環状部（５４）及び周辺接触部（５５，５５）で形成し、環状部（５４）を外周側が下方へ傾斜した形状とし、環状部（５４）に絞り部（５８〜５８）を形成したので、第１タクト板（５）の１段目の変形で第１、第２端子（２）、（３）間を接続するときにクリック感を生じさせることができる。
【００４１】
請求項４に記載の発明は、　請求項３に記載の発明において、第１タクト板（５）の中央接触部（５１）をほぼ長方形状に形成し、中央接触部（５１）の長手方向に沿って立ち上げ片（５７，５７）とビード（５７ｂ，５７ｂ）の少なくとも一方を補強用として形成したので、中央接触部（５１）の撓みによる荷重の損失を抑え、キートップ（７）からの荷重を損失させることなく絞り部（５８〜５８）に伝えてクリック感を生じさせることができる。
【００４２】
請求項５に記載の発明は、　請求項３に記載の発明において、第１タクト板（５）の中央接触部（５１）をほぼ長方形状に形成し、中央接触部（５１）の長手方向に沿って折り返し片（５７ａ，５７ａ）とビード（５７ｂ，５７ｂ）の少なくとも一方を補強用として形成したので、中央接触部（５１）の撓みによる荷重の損失を抑え、キートップ（７）からの荷重を損失させることなく絞り部（５８〜５８）に伝えてクリック感を生じさせることができる。
【００４３】
請求項６に記載の発明は、請求項１、２、３、４又は５に記載の発明において、タクト板収容凹部（１３）の内底面に第２タクト板（６）の周辺部をほぼ固定するための加締め部（１７〜１７）を形成したので、第２タクト板（６）がタクト板収容凹部（１３）内の所定位置からずれるのを防止することができ、第１タクト板（５）の２段目の変形による第１、第２、第３端子（２）、（３）、（４）間の接続を確実にすることができる。
【図面の簡単な説明】
【図１】本発明による２段動作プッシュスイッチの一実施形態例を示す図２の断面図であって、（ａ）は図２のＡ−Ａ線断面図、（ｂ）は図２のＢ−Ｂ線断面図である。
【図２】本発明による２段動作プッシュスイッチの一実施形態例を示す平面図である。
【図３】図２の正面図である。
【図４】図１〜図３中のハウジング１を示す平面図である。
【図５】図４の正面図である。
【図６】図４の右側面図である。
【図７】図４のＡ−Ａ線断面図である。
【図８】図４のＢ−Ｂ線断面図である。
【図９】図４のＣ−Ｃ線拡大断面図である。
【図１０】図４中の第１、第２、第３端子２、３、４のハウジング１における配置状態を示す図で、（ａ）は平面図、（ｂ）は正面図である。
【図１１】図１〜図３中の第１タクト板５を示す平面図である。
【図１２】図１１のＡ−Ａ線断面図である。
【図１３】図１１の断面図であって（ａ）は図１１のＢ−Ｂ線断面図、（ｂ）は図１１のＣ−Ｃ線部分断面図、（ｃ）は（ｂ）のＤ−Ｄ線断面図である。
【図１４】図１〜図３中のキートップ７を示す縮小図で、（ａ）は平面図、（ｂ）は正面図、（ｃ）は底面図、（ｄ）は（ａ）のＡ−Ａ線断面図である。
【図１５】図１〜図３中のカバー８を示す縮小図で、（ａ）は平面図、（ｂ）は正面図、（ｃ）は右側面図である。
【図１６】第１タクト板５の第１変形例の要部を示す図で、（ａ）は要部平面図、（ｂ）は（ａ）のＡ−Ａ線断面図、（ｃ）は（ａ）のＢ−Ｂ線断面図である。
【図１７】第１タクト板５の第２変形例の要部を示す図で（ａ）は要部平面図、（ｂ）は（ａ）のＡ−Ａ線断面図、（ｃ）は（ａ）のＢ−Ｂ線断面図である。
【図１８】従来例を示す平面図である。
【図１９】図１８の正面図である。
【図２０】図１８の右側面図である。
【図２１】図１８のＡ−Ａ線断面図である。
【図２２】図１８のＢ−Ｂ線断面図である。
【図２３】図１８のＣ−Ｃ線断面図である。
【図２４】図１８〜図２３中のタクト板２００を示す図で、（ａ）は平面図、（ｂ）は（ａ）のＡ−Ａ線断面図である。
【符号の説明】
１…ハウジング、　１１…底板、　１２…側板、　１３…タクト板収容凹部、１４…位置合わせ凹部、　１５…加締め用突起、　１６…係止突起、　１７…加締め部、　２…第１端子、　２１…第１端子２の接触部、　２２…第１端子２の接続部、３…第２端子、　３１…第２端子３の接触部、　３２…第２端子３の接続部、　４…第３端子、　４１…第３端子４の接触部、　４２…第３端子４の接続部、　５…第１タクト板、　５１…中央接触部、　５２…孔、　５３…連結部、　５４…環状部、　５５…周辺接触部、　５６…凸部、　５７…立ち上げ片、５７ａ…折り返し片、　５７ｂ…ビード、　６…第２タクト板、　７…キートップ、　７１…操作部、　７２…押圧部、　７３…位置合わせ部、　７４…収容凹部、　８…カバー、　８１…キートップ用孔、　８２…係止ばね部。
【図１】
2004031171.tif 000003
【図２】
2004031171.tif 000004
【図３】
2004031171.tif 000005
【図４】
2004031171.tif 000006
【図５】
2004031171.tif 000007
【図６】
2004031171.tif 000008
【図７】
2004031171.tif 000009
【図８】
2004031171.tif 000010
【図９】
2004031171.tif 000011
【図１０】
2004031171.tif 000012
【図１１】
2004031171.tif 000013
【図１２】
2004031171.tif 000014
【図１３】
2004031171.tif 000015
【図１４】
2004031171.tif 000016
【図１５】
2004031171.tif 000017
【図１６】
2004031171.tif 000018
【図１７】
2004031171.tif 000019
【図１８】
2004031171.tif 000020
【図１９】
2004031171.tif 000021
【図２０】
2004031171.tif 000022
【図２１】
2004031171.tif 000023
【図２２】
2004031171.tif 000024
【図２３】
2004031171.tif 000025
【図２４】
2004031171.tif 000026